(57)【特許請求の範囲】
【請求項１】
外面と内面とを含み、前記内面によって定義された開口を有し、切断された部分がない環状であり、プラスチック材質の部材；および
前記部材の内面に形成されたパターン；を含み、
前記部材は第１折れ曲がり部と第２折れ曲がり部とを含み、
前記部材の内面は、前記第１折れ曲がり部と前記第２折れ曲がり部とによって向かい合う第１対向面と第２対向面とを含み、
前記第１折れ曲がり部と前記第２折れ曲がり部とによって形成された弾性によって前記第１対向面と前記第２対向面は、前記開口に配置される未成熟果菜類の表面の両側を締め付けて前記果菜類の表面に装着可能であり、
前記部材の形状は、前記果菜類の成長による前記果菜類の表面の形状に対応するように変化し、
前記部材の内側に配置されているインサートと、
前記インサートに設けられ、前記部材の内面と結合する一面と、
前記一面に形成されている切断隙間とを備えている、果菜類の表面にパターンを形成するための装置。
【請求項２】
前記パターンは、前記部材の内面と接する前記果菜類の表面の周りの長さが前記部材の内面の周りの長さと同じになってから前記果菜類の表面に彫り付けられる、請求項１に記載の果菜類の表面にパターンを形成するための装置。
【請求項３】
前記果菜類の成長につれて前記部材の内面と前記果菜類の表面が接触する接触面積は増加するものの、前記果菜類の表面と向かい合う前記部材の内面の面積は一定である、請求項１に記載の果菜類の表面にパターンを形成するための装置。
【請求項４】
前記第１折れ曲がり部と前記第２折れ曲がり部は互いに向かい合うように配置された、請求項１に記載の果菜類の表面にパターンを形成するための装置。
【請求項５】
前記パターンは陽刻パターンまたは陰刻パターンである、請求項１に記載の果菜類の表面にパターンを形成するための装置。
【請求項６】
前記パターンは、前記部材の内面、外面および内部のうち少なくともいずれか一ヶ所に形成されたプリンティングパターンである、請求項１に記載の果菜類の表面にパターンを形成するための装置。
【請求項７】
前記インサートは前記パターンと前記部材の内面の間に配置されている、請求項１に記載の果菜類の表面にパターンを形成するための装置。
【請求項８】
前記インサートは、前記パターンと別体であり、前記インサートは前記パターンと前記部材の内面の間に挿入されている、請求項１に記載の果菜類の表面にパターンを形成するための装置。
【請求項９】
前記インサートの透明度と前記パターンの透明度は互いに異なる、請求項７または請求項８に記載の果菜類の表面にパターンを形成するための装置。
【請求項１０】
袋をさらに含み、
前記袋の内部に前記部材が結合された、請求項１に記載の果菜類の表面にパターンを形成するための装置。
【発明の詳細な説明】
【技術分野】
【０００１】
本発明は果菜類の表面にパターンを形成するための装置に関し、より詳細には別途の固定装置なしに未成熟果菜類に装着可能であり、果菜類の成長につれてその形状が可変し、成熟した果菜類の表面に所定のパターンが明確に識別されるように彫り付けることができる装置に関する。
【背景技術】
【０００２】
農産物の産地と商標の重要性についての認識が高まるにつれて、果物や野菜に商標や特定文字を彫り付けて販売して他の商品との差別化を図っている。
【０００３】
特に、果物を果物本来の形態でない所定の形態に形成したり、果物の表面に「合格」、「福」等の文字や図を彫り付けて消費者の購買欲求を喚起して販売を促進する多様な試みがなされている。
【０００４】
多様な試みのうち、果物に商標や産地、記念メッセージなどの文字や絵を永久的に表示する方法があるが、具体的には、果物の生長過程中に所定の表示を表す形状のステッカーを付着させて付着部位に日光が照射されることを遮断することによって、ステッカーの形態に対応する形の表示が果物の表皮の変色によって形成されるようにする方法がある。しかし、前記方法は果物の適当な生長時期に合わせてステッカーを付着しなければならず、変色までに相当な時間がかかり、ステッカー付着後に果実類の成長と風や豪雨などによって付着状態が緩んで鮮明な文字や図形が得られない不良な印刷状態の果実類が多量に生成される問題点があった。また、前記方法は、リンゴやスイカなどの表皮の色が鮮明な果物の場合には文字の表示効果があるが、梨や柿などの場合には光遮断による文字の形成にさほど効果が得られないという問題点がある。
【０００５】
他の方法として、果物の生成過程において表皮に傷をつけて果物の表面に文字または図形を形成する方法もあるが、果実類の表皮に傷をつけて形成する場合、成長過程にある果実類の表皮に傷をつけなければならないため相当な精密度が要求され、これによって作業効率が大きく低下するだけでなく、果物の成長につれて傷が回復して文字や図形の認識ができなくなる場合がたびたび発生する問題点がある。
【発明の概要】
【発明が解決しようとする課題】
【０００６】
本発明が解決しようとする技術的課題は、成熟した果菜類の表面に所定のパターンを明確に識別されるように形成させることができる装置を提供することである。
【０００７】
また、果菜類の表面に別途の固定装置を使用せずとも装着が可能な装置を提供することである。
【課題を解決するための手段】
【０００８】
本発明の実施形態に係る果菜類の表面にパターンを形成するための装置は、外面と内面とを含み、前記内面によって定義された開口を有し、切断された部分がない環状であり、プラスチック材質の部材；および前記部材の内面に形成されたパターン；を含み、前記部材は第１折れ曲がり部と第２折れ曲がり部とを含み、前記部材の内面は前記第１折れ曲がり部と前記第２折れ曲がり部とによって向かい合う第１対向面と第２対向面とを含み、前記第１折れ曲がり部と前記第２折れ曲がり部とによって形成された弾性によって前記第１対向面と前記第２対向面とは、前記開口に配置される未成熟果菜類の表面の両側を締め付けて前記果菜類の表面に装着可能であり、前記部材の形状は、前記果菜類の成長による前記果菜類の表面の形状に対応するように変化する。
【０００９】
ここで、前記パターンは、前記部材の内面と接する前記果菜類の表面の周りが前記部材の内面の周りと同じになってから前記果菜類の表面に彫り付けられ得る。
【００１０】
ここで、前記果菜類の成長につれて前記部材の内面と前記果菜類の表面が接触する接触面積は増加するものの、前記果菜類の表面と向かい合う前記部材の内面の面積は一定であり得る。
【００１１】
ここで、前記第１折れ曲がり部と前記第２折れ曲がり部は互いに向かい合うように配置され得る。
【００１２】
ここで、前記第１折れ曲がり部と前記第２折れ曲がり部は、角ばったり屈曲し得る。
【００１３】
ここで、前記パターンは陽刻パターンまたは陰刻パターンであり得る。
【００１４】
ここで、前記パターンは、前記部材の内面、外面および内部のうち少なくともいずれか一ヶ所に形成されたプリンティングパターンであり得る。
【００１５】
ここで、前記パターンと前記部材の内面の間に配置されたインサートをさらに含むことができる。
【００１６】
ここで、前記部材の内面に配置され、前記パターンと離隔して配置されたインサートをさらに含むことができる。
【００１７】
ここで、前記インサートは、前記部材の内面と結合する一面を含み、前記インサートの一面は、切断隙間を有することができる。
【００１８】
ここで、前記インサートの透明度と前記パターンの透明度互いに異なり得る。
【００１９】
ここで、袋をさらに含み、前記袋の内部に前記部材が結合され得る。
【発明の効果】
【００２０】
本発明の果菜類の表面にパターンを形成するための装置によると、成熟した果菜類の表面に所定のパターンを明確に識別されるように形成させることができる利点がある。
【００２１】
また、果菜類の表面に別途の固定装置を使用せずとも装着が可能な利点がある。
【図面の簡単な説明】
【００２２】
【図１】本発明の実施形態に係る果菜類の表面にパターンを形成するための装置の斜視図。
【図２】図１に図示された果菜類の表面にパターンを形成するための装置の断面図。
【図３】図１に図示された果菜類の表面にパターンを形成するための装置の変形例の断面図。
【図４】本発明の他の実施形態に係る果菜類の表面にパターンを形成するための装置の斜視図。
【図５】本発明のさらに他の実施形態に係る果菜類の表面にパターンを形成するための装置の斜視図。
【図６】図５に図示されたインサートをより具体的に説明するための図面。
【図７】図１に図示された本発明の実施形態に係る果菜類の表面にパターンを形成するための装置１００の使用方法を説明するための図面。
【図８】図７に図示された装置が未成熟果菜類に装着された後に未成熟果菜類が成熟した果菜類に成長した状態を示す図面。
【図９】図８に図示された装置を除去した場合に成熟した果菜類の表面に形成された文字を示す図面。
【発明を実施するための形態】
【００２３】
以下、本発明に係る果菜類の表面にパターンを形成するための装置を図面を参照して具体的に説明する。
【００２４】
添付図面に図示された特定の実施例についての詳細な説明は、それに伴われる図面と関連して理解されるべきであり、図面は全体発明の説明に対する一部として見なされる。方向や指向性に対する言及は説明の便宜のためのものに過ぎず、いかなる方式によっても本発明の権利範囲を制限する意図を有さない。
【００２５】
具体的には、「下、上、水平、垂直、上側、下側、上方、下方、上部、下部」等の位置を表す用語や、これらの派生語（例えば、「水平に、下方に、上側に」等）は、説明されている図面と関連説明をすべて参照して理解されるべきである。特に、このような相対語は説明の便宜のためのものに過ぎないため、本発明の装置が特定の方向に構成または動作すべきことを要求しはしない。
【００２６】
また、「装着された、付着した、連結された、つながった、相互に連結された」等の構成間の相互の結合関係を表す用語は、別途に言及しない限り、個別の構成が直接的あるいは間接的に付着あるいは連結されたり固定された状態を意味し得、これは移動可能に付着、連結、固定された状態だけでなく、移動不可能な状態まで含む用語として理解されるべきである。
【００２７】
図１は本発明の実施形態に係る果菜類の表面にパターンを形成するための装置の斜視図であり、図２は図１に図示された果菜類の表面にパターンを形成するための装置の断面図である。
【００２８】
図１〜図２を参照すると、果菜類の表面にパターンを形成するための装置１００は、部材１３０とパターン１７０を含む。
【００２９】
部材１３０は光透過性を有し得る。部材１３０が光透過性を有すると、開口１５０に果菜類が挿入された場合にも果菜類の表面に光を提供することができる。部材１３０は透明または半透明であり得る。また、部材１３０は光透過性を有さなくてもよい。例えば、部材１３０は不透明でもよい。
【００３０】
したがって、部材１３０は透明、半透明および不透明な、いかなる材質によっても形成され得る。例えば、果菜類が梨である場合、梨は通常不透明な袋に被せられたまま成長するため、部材１３０は不透明な材質であり得る。一方、果菜類がりんごである場合、りんごは通常成長時に光を必要とするため、部材１３０は透明または半透明な材質であり得る。
【００３１】
部材１３０は樹脂材質であり得る。例えば、部材１３０はプラスチックであり得る。また、部材１３０はポリマー（ｐｏｌｙｍｅｒ）で構成され得る。例えば、ポリマーは、ポリプロピレン（ｐｏｌｙｐｒｏｐｙｌｅｎｅ、ＰＰ）、ポリエチレンテレフタレート（ｐｏｌｙｅｔｈｙｌｅｎｅｔｅｒｅｐｈｔｈａｌａｔｅ、ＰＥＴ）、ポリエチレン（ｐｏｌｙｅｔｈｙｌｅｎｅ、ＰＥ）、ポリカーボネート（ｐｏｌｙｃａｒｂｏｎａｔｅ、ＰＣ）、およびポリスチレン（ｐｏｌｙｓｔｙｒｅｎｅ、ＰＳ）等を含む。
【００３２】
部材１３０は環状を有する。ここで、部材１３０は切断された部分がない環状を有することができる。環状の部材１３０は内部に開口１５０を有する。
【００３３】
部材１３０の開口１５０は本発明の実施形態に係る装置１００が嵌められる該当果菜類の大きさに対応する。
【００３４】
部材１３０は外面１３０ａと内面１３０ｂとを含む。内面１３０ｂは部材１３０の開口１５０を定義する。開口１５０にりんごおよび梨などのような果菜類が挿入される。
【００３５】
部材１３０は開口１５０に配置される果菜類の表面の両側を締め付けて果菜類の表面に装着可能な形状を有し、果菜類の成長による果菜類の表面の形状に対応する形状を有する。
【００３６】
部材１３０自体の材質と形状によって本発明の実施形態に係る装置１００は果菜類の表面に装着されて固定され得るため、果菜類に固定するための別途の固定装置が不要な利点がある。
【００３７】
部材１３０の内面１３０ｂの断面の形状は楕円状であり得る。部材１３０の内面の断面の形状が楕円状であれば、部材１３０の内面の間に挟まれる果菜類の表面を両側から締め付け、果菜類の表面を締め付けながら果菜類の表面に装着され得る。
【００３８】
また、部材１３０の内面１３０ｂの断面の形状は、果菜類の成長による果菜類の表面の形状に対応するように変化し得る。すなわち、部材１３０の内面１３０ｂの断面の形状は、楕円状から果菜類の表面の形状に対応する形状に変化し得る。
【００３９】
部材１３０は内面１３０ｂにより定義される開口１５０を有する。開口１５０は内面１３０ｂによって定義されるため、開口１５０の断面の形状も楕円状を有する。
【００４０】
開口１５０の形状は、開口１５０の中心部から内面１３０ｂ方向に作用する放射状の外力に対応して変化し得る。例えば、開口１５０に果菜類が配置された場合、果菜類の成長による外力によって開口１５０の形状は変化する。開口１５０の形状は楕円筒状から果菜類の表面の形状と対応する形状に徐々に変化し得る。
【００４１】
部材１３０の内面の面積は、開口１５０の中心部から内面１３０ｂ方向に作用する放射状の外力とは関係なくほぼ一定に維持される。すなわち、部材１３０の内面の面積は果菜類の成長によりほとんど増えない。
【００４２】
ここで、開口１５０に配置された果菜類の表面と向かい合う部材１３０の内面の面積は一定に維持されるが、開口１５０に配置された果菜類の成長により果菜類の表面との接触面積はますます増加する。
【００４３】
部材１３０は第１折れ曲がり部１１０ａと第２折れ曲がり部１１０ｂを含むことができる。第１折れ曲がり部１１０ａと第２折れ曲がり部１１０ｂは互いに向き合うように形成され得る。
【００４４】
第１折れ曲がり部１１０ａと第２折れ曲がり部１１０ｂは、円筒状の部材が両側で作用した外力によって形成された部分であり得る。第１折れ曲がり部１１０ａと第２折れ曲がり部１１０ｂによって、部材１３０の内面１３０ｂの断面の形状が楕円状に維持され得る。
【００４５】
第１折れ曲がり部１１０ａと第２折れ曲がり部１１０ｂは、図１〜図３に図示された通り、角ばった形状でもよいが、これに限定されるものではない。例えば、第１折れ曲がり部１１０ａと第２折れ曲がり部１１０ｂは屈曲した形状でもよい。
【００４６】
図１〜図３において、折れ曲がり部の個数は２個として図示されているが、これに限定されるものではない。例えば、折れ曲がり部の個数は３個以上の多数でもよい。
【００４７】
部材１３０はパターン１７０を有する。例えば、部材１３０の内面１３０ｂにパターン１７０が形成され得る。パターン１７０は内面１３０ｂの一部分に形成され、内面１３０ｂから突出または延びた陽刻パターンであり得る。ここで、パターン１７０は、陰刻パターンでもよい。図３を参照して説明する。
【００４８】
図３は、図１に図示された果菜類の表面にパターンを形成するための装置の変形例の断面図である。
【００４９】
図３に図示された果菜類の表面にパターンを形成するための装置１００’において、図１に図示された装置１００と同じ構成要素には同じ図面番号を付した。
【００５０】
図３に図示された装置１００’のパターン１７０’は、図１に図示された装置１００のパターン１７０と異なる形状を有する。図３に図示された装置１００’のパターン１７０’は、内面１３０ａの一部分に彫られて形成された陰刻パターンである。
【００５１】
一方、パターン１７０は、図２に図示された陽刻パターンおよび図３に図示された陰刻パターンではない、部材１３０の内面１３０ｂ、外面１３０ｂおよび内部のうちいずれか一ヶ所に印刷されて形成されたプリンティングパターンであり得る。パターン１７０がプリンティングパターンである場合、プリンティングパターン１７０は透明、不透明および半透明のうちいずれか一つの材質であり得る。
【００５２】
例えば、本発明の実施形態に係る装置１００の部材１３０は透明または半透明な材質であり、プリンティングパターン１７０は不透明な材質であれば、りんごの表面でプリンティングパターン１７０と対応する部分を除いた部分は、りんご本来の色で形成させ、プリンティングパターン１７０と対応する部分はりんごが光を受けなかった場合に現れる色（例えば、黄色）で形成させることができる。
【００５３】
他の例として、本発明の実施形態に係る装置１００の部材１３０は透明な材質であり、プリンティングパターン１７０は半透明な材質であれば、りんごの表面でプリンティングパターン１７０と対応する部分を除いた部分はりんご本来の色で形成させ、プリンティングパターン１７０と対応する部分はりんごが光を受けなかった場合に現れる色とは異なる色で形成させることができる。
【００５４】
さらに他の例として、部材１３０が不透明な材質であり、プリンティングパターン１７０が透明な材質であれば、部材１３０と対応する部分の色はりんごが光を受けなかった場合に現れる色を帯びる反面、プリンティングパターン１７０に対応する部分はりんご本来の色を帯びる。
【００５５】
前記の三つの例を詳察すると、プリンティングパターン１７０の透明度を調節すれば、果菜類の表面でプリンティングパターン１７０と対応する部分に多様な色相の模様を形成させることができる。
【００５６】
図４は、本発明の他の実施形態に係る果菜類の表面にパターンを形成するための装置の斜視図である。
【００５７】
図４を参照すると、本発明の他の実施形態に係る果菜類の表面にパターンを形成するための装置１００は、図１と比較して、インサート（ｐａｔｔｅｒｎ  ｉｎｓｅｒｔ、１９０）をさらに含む。インサート１９０を除いた残りの構成は同じであるため、以下ではインサート１９０を中心に説明し、残りの構成の説明は省略する。
【００５８】
インサート１９０は部材１３０とパターン１７０の間に配置される。インサート１９０の一面にパターン１７０が形成される。
【００５９】
インサート１９０の他面は部材１３０の内面１３０ｂに結合される。
【００６０】
インサート１９０は円形の板状であり得るが、これに限定されず、インサート１９０は多角形の板状でもよい。
【００６１】
インサート１９０はフレキシブルな材質であって、部材１３０の内面１３０ｂの変化に対応して部材１３０の内面１３０ｂによく付着し得る。
【００６２】
インサート１９０は部材１３０と同じ材質であり得、透明、半透明または不透明なものであり得る。ここで、本発明の他の実施形態に係る装置１００の部材１３０は透明（または半透明）であり、パターン１７０とインサート１９０の透明度が互いに異なる場合、果菜類の表面でパターン１７０とインサート１９０に対応する部分の色相を他の部分と異ならせることができるだけでなく、パターン１７０と対応する部分とインサート１９０に対応する部分も互いに異なる色相となるようにすることができる。
【００６３】
図５は本発明のさらに他の実施形態に係る果菜類の表面にパターンを形成するための装置の斜視図であり、図６は図５に図示されたインサートをより具体的に説明するための図面である。
【００６４】
図５〜図６を参照すると、本発明のさらに他の実施形態に係る果菜類の表面にパターンを形成するための装置は、図１と比較して、インサート１９０’をさらに含む。インサート１９０’を除いた残りの構成は同じであるため、以下ではインサート１９０’を中心に説明し、残りの構成の説明は省略する。
【００６５】
インサート１９０’は部材１３０とパターン１７０の間に配置される。インサート１９０’の一面にパターン１７０が形成される。
【００６６】
インサート１９０’の一面は扁平でもよく、所定の曲率を有してもよい。インサート１９０’の一面が所定の曲率を有する場合、インサート１９０’の一面の曲率はインサート１９０’の他面の曲率と異なり得る。
【００６７】
インサート１９０’の他面は部材１３０の内面１３０ｂに結合される。
【００６８】
インサート１９０’の他面は、部材１３０の内面１３０ｂと対応する所定の曲率を有することができる。
【００６９】
インサート１９０’の他面は、切断隙間１９５を有することができる。切断隙間１９５はインサート１９０’の他面から一方向に長く形成され得る。ここで、一方向は、図面に図示されたように縦方向でもよいが、これに限定されず、例えば斜線方向でもよい。
【００７０】
切断隙間１９５の断面の形状は「Ｖ」字状であり得るが、これに限定するのではなくて半円形状場合もあって、多角形形状場合もある。
【００７１】
切断隙間１９５は部材１３０を成熟した果菜類から取り除く時、成熟した果菜類の表面に損傷を与えることなく部材を切断するためのものである。もし、切断隙間がないと、果菜類の表面に何の損傷も与えないつつ成長した果菜類から部材１３０を除去することは非常に難しい。果菜類の成長が完了した後、使用者がハサミまたはカッターのような切断器具で部材１３０を切断部（Ａ）の方向に沿って切断する時、切断隙間１９５を利用して装置１００を容易に除去することができる。切断隙間１９５を通じて前記切断器具が容易に部材１３０と成熟した果菜類の間に入ることができ、切断隙間１９５が前記切断器具の移動をガイドするため、使用者は一直線に正確かつ容易に部材１３０を切断することができる。
【００７２】
インサート１９０’はフレキシブルな材質であって、部材１３０の内面１３０ｂの変化に対応して部材１３０の内面１３０ｂによく付着し得る。
【００７３】
インサート１９０’は部材１３０と同じ材質であり得、透明、半透明または不透明なものであり得る。ここで、本発明の他の実施形態に係る装置１００の部材１３０は透明（または半透明）であり、パターン１７０とインサート１９０’の透明度が互いに異なる場合、果菜類の表面でパターン１７０とインサート１９０’に対応する部分の色相を他の部分と異ならせることができるだけでなく、パターン１７０と対応する部分とインサート１９０’に対応する部分も互いに異なる色相となるようにすることができる。
【００７４】
一方、別途の図面として図示してはいないが、図５に図示されたインサート１９０’にパターン１７０が形成されなくてもよい。すなわち、パターン１７０とインサート１９０’が互いに離隔して部材１３０の内面１３０ｂに配置され得る。この場合、インサート１９０’は切断用としてのみ利用され得る。
【００７５】
図７は、図１に図示された本発明の実施形態に係る果菜類の表面にパターンを形成するための装置１００の使用方法を説明するための図面である。
【００７６】
図１、図２及び図４を参照すると、本発明の実施形態に係る果菜類の表面にパターンを形成するための装置１００の両側、特に第１折れ曲がり部１１０ａと第２折れ曲がり部１１０ｂに外力を加えて部材１３０の開口１５０を広げる。広げられた開口１５０に未成熟果菜類２００を挿入させる。部材１３０が未成熟果菜類２００の表面上の所定の位置に位置すると、第１折れ曲がり部１１０ａと第２折れ曲がり部１１０ｂに加えられた外力を除去する。そうすると、プラスチック材質の部材１３０と第１折れ曲がり部１１０ａと第２折れ曲がり部１１０ｂによって形成された弾性によって、部材１３０は未成熟果菜類２００を締め付けるようになり、未成熟果菜類２００を締め付ける力によって部材１３０は未成熟果菜類２００に装着される。
【００７７】
図８は、図７に図示された装置１００が未成熟果菜類２００に装着された後に未成熟果菜類２００が成熟した果菜類２００’に成長した状態を示す図面である。
【００７８】
図７および図８を参照すると、未成熟果菜類２００が成熟した果菜類２００’に状態変化する過程で、本発明の実施形態に係る装置１００は果菜類の成長により部材１３０の形状が変化する。すなわち、果菜類２００の成長により部材１３０の形状が果菜類２００の表面の形状に対応するように変化する。
【００７９】
未成熟果菜類２００が成熟した果菜類２００’に成長する過程で、部材１３０の形状が果菜類２００の表面の形状に対応するように変化するが、部材１３０の内面１３０ｂに形成されたパターン１７０は、果菜類２００が部材１３０の開口１５０を埋め尽くすまでは果菜類２００の表面に彫り付けられない。部材１３０の内面１３０ｂに形成されたパターン１７０は、果菜類２００が部材１３０の開口１５０を埋め尽くした後から果菜類２００の表面に彫り付けられる。
【００８０】
このように、本発明の実施形態に係る装置１００によると、未成熟果菜類２００が部材１３０の開口１５０ほどに成長していない時には、パターン１７０が果菜類２００の表面に完全に彫り付けられるのではなく、部材１３０の内面１３０ｂと接する果菜類２００の表面の周りが部材１３０の内面１３０ｂの周りと同じになってから、パターン１７０が果菜類２００’の表面に彫り付けられるため、パターン１７０と対応する文字が果菜類２００’の表面に広がったり崩れずに明確かつきれいに形成される利点がある。
【００８１】
図９は、図８に図示された装置１００を除去した場合に成熟した果菜類２００’の表面に形成された文字２７０を示す図面である。
【００８２】
図９を参照すると、図５に図示された通り、成熟した果菜類２００’の表面に装着された装置１００を除去すると、成熟した果菜類２００’の表面に所定の文字２７０が形成される。所定の文字２７０は図１に図示されたパターン１７０と対応する形状を有する。図１に図示されたパターン１７０は陽刻パターンであるため、文字２７０は陽刻パターンに対応する陰刻の形態を有するようになる。
【００８３】
一方、図３に図示された陰刻パターン１７０’を有する装置１００’を使用すると、図９に図示された成熟した果菜類２００’には陽刻の形態の文字２７０が形成される。
【００８４】
このように、本発明の実施形態に係る装置１００、１００’を使用すると、果菜類２００’の表面に所定のパターンを形成することができる。
【００８５】
前述した図１〜図９に図示された本発明の多様な実施形態に係る果菜類の表面にパターンを形成するための装置１００、１００’は、袋をさらに含むことができる。
【００８６】
袋の内部に部材１３０が結合され得る。部材１３０の外面１３０ａが袋の内面に結合され得る。
【００８７】
袋は透明、半透明および不透明な材質であり得る。
【００８８】
梨やりんごのような果菜類は、通常袋を被せたまま成長させるため、前記果菜類の表面に、図１〜図９に図示された装置１００、１００’そのものを袋の内部に結合させる必要がある。これは図１〜図９に図示された装置１００、１００’を未成熟果菜類の表面に装着した後、袋を被せると、あらかじめ装着された装置１００、１００’が袋を被せる過程でねじ曲がって位置が変更し得る。また、図１〜図９に図示された装置１００、１００’と果菜類２００’の間に異物がある場合、果菜類２００’が成長するにつれてこのような異物によって果菜類２００’の表面に傷が発生し得る。したがって、落下する異物が図１〜図９に図示された装置１００、１００’と果菜類２００’の間に挟まれることを防止するために、袋のような外部カバーが必要である。このような問題点を防止するために、部材１３０が袋の内部に結合されることが好ましい。
【００８９】
以上で詳細に説明したように、本発明はたとえ限定された実施例と図面に基づいて説明されたが、本発明はこれに限定されず、本発明が属する技術分野で通常の知識を有する者によって本発明の技術思想と特許請求の範囲の均等範囲内で多様な修正および変形が可能である。しかし、そのような単純な修正および変形も本発明の権利範囲に属することは明白である。
【符号の説明】
【００９０】
１００、１００’：果菜類の表面にパターンを形成するための装置
１３０：部材
１７０：パターン
【図１】
0006905593.tif 000002
【図２】
0006905593.tif 000003
【図３】
0006905593.tif 000004
【図４】
0006905593.tif 000005
【図５】
0006905593.tif 000006
【図６】
0006905593.tif 000007
【図７】
0006905593.tif 000008
【図８】
0006905593.tif 000009
【図９】
0006905593.tif 000010